(57)【要約】小さなアクセス単位を有する光ディスクとアドレス情報の変調方法とが開示されている。本発明は、第１変調方法の第１特徴と第２変調方法の第２特徴とを用いてアドレス情報及び／または付加情報のデータ情報量を増やして変調を行い、変調された情報をトラックにウォッブルの形で成形する。第１変調方法の第１特徴は、ＭＳＫ変調された信号の物理的な位置情報であり、第２変調方法の第２特徴は、ウォッブルの基本周波数のコサイン関数とウォッブルの基本周波数の倍数倍周波数であるサイン関数とを合成するＨＭＷ変調により得られる第２高調波の符号を用いる。したがって、本発明はアドレス情報変調時に、所定数のウォッブルまたはキャリア信号に複数ビットの情報を載せて情報量を増やしてディスクアクセス及び付加情報を読出すのに必要な物理的な長さを縮めることによって、欠陥が発生しても損失を減らせて高密度小型ディスクのアドレス規格に対応しうる。
2005526344.tif 000002
【特許請求の範囲】
【請求項１】
アクセスやその他の情報の読出しのためにアドレス情報や付加情報をウォッブルでトラックを成形したディスクにおいて、
第１変調方法の第１特徴と第２変調方法の第２特徴とを用いて前記アドレス情報及び／または付加情報のデータ情報量を増やして変調を行い、変調された情報をトラックにウォッブルの形で成形したことを特徴とする光ディスク。
【請求項２】
前記第１変調方法は、ＭＳＫ変調であることを特徴とする請求項１に記載の光ディスク。
【請求項３】
前記第２変調方法は、ＨＭＷ変調であることを特徴とする請求項１に記載の光ディスク。
【請求項４】
第１変調方法の第１特徴は、ＭＳＫ変調された信号の物理的な位置情報であることを特徴とする請求項１に記載の光ディスク。
【請求項５】
第２変調方法の第２特徴は、ウォッブルの基本周波数のコサイン関数とウォッブルの基本周波数の倍数倍周波数であるサイン関数とを合成するＨＭＷ変調により得られる第２高調波の符号情報を用いることを特徴とする請求項１に記載の光ディスク。
【請求項６】
アクセスやその他の情報の読出しのためにアドレス情報や付加情報をウォッブルでトラックを成形したディスクにおいて、
情報を表現できる基本単位で複数ビットの情報を表現するように少なくとも２つ以上の相異なる変調方法を使用して所定数のキャリア信号にアドレス情報及び／または付加情報を変調し、変調されたキャリア信号をトラックにウォッブルで成形することによって、
ディスク上の任意の位置を小さな単位でアクセスできるか、アドレス情報及び／または付加情報の情報量を増やすことを特徴とする光ディスク。
【請求項７】
前記少なくとも２つ以上の変調方法は、ＭＳＫ変調とＨＭＷ変調とを含むことを特徴とする請求項６に記載の光ディスク。
【請求項８】
前記少なくとも２つ以上の変調方法は、各々ＭＳＫ変調方法及びＨＭＷ変調方法であり、ＭＳＫの位置情報とＨＭＷの第２高調波の符号情報とを用いて前記基本単位で複数ビットの情報を表現することによって情報量を増やしたことを特徴とする請求項６に記載の光ディスク。
【請求項９】
ディスクアクセスやその他の情報の読出しのためにアドレス情報や付加情報を変調する方法において、
（ａ）  前記アドレス情報及び／または付加情報を第１変調方法の第１特徴と第２変調方法の第２特徴とを用いてデータ情報量を増やして変調を行う段階と、
（ｂ）  変調された情報をトラックにウォッブルの形で成形する段階と、を含み、
ディスク上の任意の位置を小さな単位でアクセスできるか、前記アドレス情報及び／または付加情報の情報量を増やせることを特徴とするアドレス情報の変調方法。
【請求項１０】
前記第１変調方法は、ＭＳＫ変調であることを特徴とする請求項９に記載のアドレス情報の変調方法。
【請求項１１】
前記第２変調方法は、ＨＭＷ変調であることを特徴とする請求項９に記載のアドレス情報の変調方法。
【請求項１２】
第１変調方法の第１特徴は、ＭＳＫ変調された信号の位置情報であることを特徴とする請求項９に記載のアドレス情報の変調方法。
【請求項１３】
第２変調方法の第２特徴は、ウォッブルの基本周波数のコサイン関数とウォッブルの基本周波数の倍数倍周波数であるサイン関数とを合成するＨＭＷ変調により得られる第２高調波の符号情報を用いることを特徴とする請求項９に記載のアドレス情報の変調方法。
【請求項１４】
ディスクアクセスやその他の情報の読出しのためにアドレス情報や付加情報を変調する方法において、
（ａ）  情報を表現できる基本単位で複数ビットの情報を表現するように少なくとも２つ以上の相異なる変調方法を使用して、所定数のキャリア信号にアドレス情報及び／または付加情報を変調する段階と、
（ｂ）  前記変調されたアドレス情報及び／または付加情報をトラックにウォッブルで成形する段階と、を含み、
ディスク上の任意の位置を小さな単位でアクセスできるか、前記アドレス情報及び／または付加情報の情報量を増やせることを特徴とするアドレス情報の変調方法。
【請求項１５】
前記少なくとも２つ以上の変調方法は、ＭＳＫ変調とＨＭＷ変調とを含むことを特徴とする請求項１４に記載のアドレス情報の変調方法。
【請求項１６】
前記少なくとも２つ以上の変調方法は、各々ＭＳＫ変調方法及びＨＭＷ変調方法であり、ＭＳＫの位置情報とＨＭＷの第２高調波の符号情報とを用いて、前記基本単位で複数ビットの情報を表現することによって情報量を増やしたことを特徴とする請求項１４に記載のアドレス情報の変調方法。
【発明の詳細な説明】
【技術分野】
【０００１】
本発明は高密度光ディスク分野に係り、特に小さな単位のアクセスが可能にアドレス情報をディスク上に成形する光ディスク及びアドレス情報の変調方法に関する。
【背景技術】
【０００２】
コンピュータ及び家電分野で広く使われる光ディスクの技術は高密度及び高速アクセスの趨勢に発展しつつある。２３ＧＢ（ギガバイト）以上の容量を有する青色レーザーを用いたＨＤ（高密度）ＤＶＤで使用しようとする基本仕様としては、波長が４０５ｎｍ、開口数（ＮＡ）が０．８５、直径が１２ｃｍ、カバー層の厚さが０．１ｍｍなどである。このようなＨＤ  ＤＶＤでは、エラー訂正能力を向上させるためにエラー訂正単位も６４ＫＢに増やす傾向がある。また、青色レーザーを用いた２３ＧＢ以上の容量を有する次世代光ディスク記録／再生機器ではアクセスのためのディスク上のトラック成形方法としてＭＳＫ（Ｍｉｎｉｍｕｍ  Ｓｈｉｆｔ  Ｋｅｙｉｎｇ）変調方法またはＨＭＷ（Ｈａｒｍｏｎｉｃ  Ｍｏｄｕｌａｔｅｄ  Ｗａｖｅ）変調方法が利用可能である。すなわち、ＭＳＫまたはＨＭＷ変調方法を用いてディスクアクセスのための物理アドレス情報をウォッブル形態に変調してディスク上のトラックを成形する。ディスクのアクセスは、トラック信号から再生されるウォッブル信号を復調してアドレス情報を求めることによってなされる。
【０００３】
図１は、アドレス及び付加情報をディスク上のトラックに成形するプロセスを示す図であって、ディスクアクセスのための物理アドレス情報１１とその他の付加情報１２を共に（１３）所定の変調方法により変調し（１４）、該変調された信号をディスク上のトラックに成形する（１５）。ここで、変調方法としては、例えばＭＳＫまたはＨＭＷ変調を挙げられ、アドレス情報またはその他の付加情報の情報内容によってキャリア信号をＭＳＫまたはＨＭＷ変調し、該変調されたキャリア信号をディスク上のトラックに成形する。ディスク上のトラックは変調されたキャリア信号と同じ形になるが、これをウォッブル信号と称する。
【０００４】
しかし、従来にはアドレス情報やその他の付加情報の情報内容を１ビットずつ所定数のキャリア信号にＭＳＫ変調またはＨＭＷ変調し、該変調されたキャリア信号をディスク上のトラックに成形する。ディスク上にこれら情報を読出す時は、所定数のウォッブル信号を用いてＭＳＫ復調またはＨＭＷ復調を行うことによって、１ビットのアドレス情報やその他の付加情報を得る。このように従来の方法では、所定数のウォッブルまたはキャリア信号で１ビットのアドレス情報やその他の付加情報を表現するためにディスクの物理アドレス単位が大きくなり、例えば、モバイル（携帯）用の小型ディスクには適さない可能性がある。もし、小型ディスクに欠陥が発生すれば、アクセス単位ほど損失が発生するので、小型ディスクではアクセス単位が小さいほど有利である。
【発明の開示】
【発明が解決しようとする課題】
【０００５】
したがって、本発明の目的は、モバイル用のような小型ディスクに適した小さな単位でアクセス可能にアドレス情報を成形する光ディスク及びアドレス情報の変調方法を提供するところにある。
【０００６】
本発明の他の目的は、青色レーザーを用いた小型ディスクに対するアドレス規格に対応して小さな単位のアクセスが可能にアドレス情報をウォッブルでトラックを成形する光ディスクとアドレス情報の変調方法とを提供するところにある。
【０００７】
本発明のさらに他の目的は、所定数のウォッブルまたはキャリア信号で複数ビットのアドレス情報やその他の付加情報を表現することによって、情報量を増やしてディスク上の任意の位置を細密にアクセスしうる光ディスク及びアドレス情報の変調方法を提供するところにある。
【課題を解決するための手段】
【０００８】
前記目的は、本発明によってアクセスやその他の情報の読出しのためにアドレス情報や付加情報をウォッブルでトラックを成形したディスクにおいて、第１変調方法の第１特徴と第２変調方法の第２特徴とを用いて前記アドレス情報及び／または付加情報のデータ情報量を増やして変調を行い、変調された情報をトラックにウォッブルの形と成形したことを特徴とする光ディスクにより達成される。
【０００９】
ここで、第１変調方法の第１特徴はＭＳＫ変調された信号の物理的な位置情報であり、第２変調方法の第２特徴はウォッブルの基本周波数のコサイン関数とウォッブルの基本周波数の倍数倍周波数であるサイン関数とを合成するＨＭＷ変調により得られる第２高調波の符号情報を用いることが望ましい。
【００１０】
また、前記目的は、アクセスやその他の情報の読出しのためにアドレス情報や付加情報をウォッブルでトラックを成形したディスクにおいて、情報を表現できる基本単位に複数ビットの情報を表現するように少なくとも２つ以上の相異なる変調方法を使用して所定数のキャリア信号にアドレス情報及び／または付加情報を変調し、該変調されたキャリア信号をトラックにウォッブルで成形することによって、ディスク上の任意の位置を小さな単位でアクセスできるか、アドレス情報及び／または付加情報の情報量を増やすことを特徴とする光ディスクにより達成される。
【００１１】
ここで、前記少なくとも２つ以上の変調方法は各々ＭＳＫ変調方法及びＨＭＷ変調方法であり、ＭＳＫの位置情報及びＨＭＷの第２高調波の符号情報を用いて前記基本単位で複数ビットの情報を表現することによって情報量を増やすことが望ましい。
【００１２】
本発明の他の分野によれば、前記目的は、ディスクアクセスやその他の情報の読出しのためにアドレス情報や付加情報を変調する方法において、（ａ）  前記アドレス情報及び／または付加情報を第１変調方法の第１特徴と第２変調方法の第２特徴とを用いてデータ情報量を増やして変調を行う段階と、（ｂ）  変調された情報をトラックにウォッブルの形で成形する段階と、を含み、ディスク上の任意の位置を小さな単位でアクセスできるか、前記アドレス情報及び／または付加情報の情報量を増やせることを特徴とするアドレス情報の変調方法により達成される。
【００１３】
ここで、第１変調方法の第１特徴はＭＳＫ変調された信号の物理的な位置情報であり、第２変調方法の第２特徴はウォッブルの基本周波数のコサイン関数とウォッブルの基本周波数の倍数倍周波数であるサイン関数とを合成するＨＭＷ変調により得られる第２高調波の符号情報を用いることが望ましい。
【００１４】
また、前記目的は、ディスクアクセスやその他の情報の読出しのためにアドレス情報や付加情報を変調する方法において、（ａ）  情報を表現できる基本単位で複数ビットの情報を表現するように少なくとも２つ以上の相異なる変調方法を使用して所定数のキャリア信号にアドレス情報及び／または付加情報を変調する段階と、（ｂ）  前記変調されたアドレス情報及び／または付加情報をトラックにウォッブルの形で成形する段階と、を含み、ディスク上の任意の位置を小さな単位でアクセスできるか、前記アドレス情報及び／または付加情報の情報量を増やせることを特徴とするアドレス情報の変調方法により達成される。
【００１５】
ここで、前記少なくとも２つ以上の変調方法は各々ＭＳＫ変調方法及びＨＭＷ変調方法であり、ＭＳＫの位置情報及びＨＭＷの第２高調波の符号情報を用いて前記基本単位で複数ビットの情報を表現することによって情報量を増やすことが望ましい。
【発明を実施するための最良の形態】
【００１６】
以下、添付された図面を参照して本発明の望ましい実施例を詳細に説明する。
【００１７】
本発明でも、図１に示されたプロセスを通じてアドレス情報とその他の付加情報とをディスク上のトラックに成形し、アドレス情報とその他の付加情報との変調時に使用する変調方法はＭＳＫ及びＨＭＷ変調方法を混用して使用するが、従来のように所定数のウォッブルまたはキャリア信号に情報１ビットを載せるものでなく、所定数のウォッブルまたはキャリア信号に複数ビットの情報を載せて情報量を増やして、ディスクアクセス及び付加情報を読出すのに必要な物理的な長さを縮めることによって欠陥が発生しても、損失を減らせるようにしている。
【００１８】
まず、本発明に適用されるＭＳＫ変調方法及びＨＭＷ変調方法は広く知られているので簡略に説明する。ＭＳＫ変調は、ウォッブルの基本周波数のコサイン関数に、例えば１．５倍周波数であるプラス（＋）コサイン関数とマイナス（−）コサイン関数とをウォッブルの基本周波数のコサイン関数の両側に配置し、１つのＭＳＫマークを示す。ＨＭＷ変調は、例えばウォッブルの基本周波数のコサイン関数とウォッブルの基本周波数の倍数倍周波数であるサイン関数とを合成し、この時に得られる第２高調波の符号はビット値を意味する。符号“＋”はビット値“１”を、符号“−”はビット値“０”を各々意味し、この符号によって右側または左側の傾斜を異ならせて、まるで鋸歯状になって鋸歯状ウォッブル（ｓａｗｔｏｏｔｈ  ｗｏｂｂｌｅ：ＳＴＷ）とも称する。本発明では符号が“＋”であれば＋ＳＴＷ、符号が“−”であれば−ＳＴＷと名付ける。
【００１９】
次いで、前述したＭＳＫ変調とＨＭＷ変調とを用いて小さな単位のアクセスが可能に所定数のウォッブルで表現できるアドレス情報量を増やすにおいて、所定数のウォッブルで複数ビットのデータを表現するための実施例を説明する。
【００２０】
図２は、本発明の望ましい一実施例によるアドレス情報の変調方法を説明するための図であって、データ２ビットのうち前のビットはＭＳＫの位置で表現し、後のビットはＳＴＷの符号（＋ＳＴＷまたは−ＳＴＷ）で表現した実施例である。前のビットは、１つのＭＳＫ  Ｍａｒｋ（ＭＭ）の後に３つの単調ウォッブル（ｍｏｎｏｔｏｎｅ  ｗｏｂｂｌｅ：ＭＷ）、１つのＭＭ、１つのＭＷからなっていれば、“０ｘ”を示し、１ＭＭの後に１ＭＷ、１ＭＭ、３ＭＷからなっていれば“１ｘ”を示す。後のビットはＨＭＷ変調により鋸歯状ウォッブルが右に傾斜すれば“ｘ０”を示し、左に傾斜すれば“ｘ１”を示す。
【００２１】
ディスクのトラック上には、Ｎ（ここでは、３１）個のＮＷＬ（ｎｏｍｉｎａｌ  ｗｏｂｂｌｅ  ｌｅｎｇｔｈ）からなる情報を表現できる基本単位よりなり、基本単位はＭＳＫ変調とＨＭＷ変調とが混用して変調されている。従来には、この基本単位に１ビットの情報だけ載せたが、本発明は複数ビットの情報を載せられうる。第１実施例による基本単位に載せられる２ビットのデータ“００”は、１つのＭＳＫ  Ｍａｒｋ（ＭＭ）の後に３つのＭＷ、１つのＭＭ、１つのＭＷ、２０個の−ＳＴＷ、及び１つのＭＷの順序よりなっており、データ“０１”は１つのＭＭの後に、３つのＭＷ、１つのＭＭ、１つのＭＷ、２０個の＋ＳＴＷ、及び１つのＭＷの順序よりなっており、データ“１０”は１つのＭＭの後に、１つのＭＷ、１つのＭＭ、３つのＭＷ、２０個の−ＳＴＷ及び１つのＭＷの順序よりなっており、データ“１１”は１つのＭＭの後に、１つのＭＷ、１つのＭＭ、３つのＭＷ、２０個の＋ＳＴＷ及び１つのＭＷの順序よりなっている。
【００２２】
図３は、本発明の望ましい他の実施例によるアドレス情報の変調方法を説明するための図であって、基本単位にデータ４ビットを所定数のウォッブルで表現するが、基本単位内で前部に３つのＭＳＫマークの有無によってデータ３ビットを表現し、最後のデータビットはＳＴＷの符号（＋ＳＴＷまたは−ＳＴＷ）で表現した実施例である。
【００２３】
すなわち、１つのＭＭの後に、１ＭＷ、３ＮＷＬ（Ｎｏｍｉｎａｌ  Ｗｏｂｂｌｅ  Ｌｅｎｇｔｈ）、１ＭＷ、３ＮＷＬ、１ＭＷ、３ＭＷよりなっていれば“ｘｘ０ｘ”を示し、１つのＭＭの後に１ＭＷ、３ＮＷＬ、１ＭＷ、３ＮＷＬ、１ＭＷ、１ＭＭよりなっていれば“ｘｘ１ｘ”を示し、１つのＭＭの後に１ＭＷ、３ＮＷＬ、１ＭＷ、３ＭＷよりなっていれば“ｘ０ｘｘ”を示し、１個のＭＭの後に１ＭＷ、３ＮＷＬ、１ＭＷ、１ＭＭよりなっていれば“ｘ１ｘｘ”を示し、１ＭＭの後に１ＭＷ、３ＭＷよりなっていれば“０ｘｘｘ”を示し、１ＭＭの後に１ＭＷ、１ＭＭよりなっていれば“１ｘｘｘ”を示す。基本単位内でＭＳＫ変調後、ＨＭＷ変調により鋸歯状ウォッブルが右に傾斜していれば“ｘｘｘ０”を示し、左に傾斜していれば“ｘｘｘ１”を示す。
【００２４】
図３に示された実施例によるディスクのトラック上にはＮ（ここでは、４２）個のＮＷＬよりなった基本単位よりなり、基本単位はＭＳＫ変調とＨＭＷ変調とが混用されて変調されている。基本単位に載せられるデータ“００００”は、１つのＭＭの後に１３個のＭＷ、２５個の−ＳＴＷ及び１つのＭＷよりなり、データ“０００１”は、１つのＭＭの後に１３個のＭＷ、２５個の＋ＳＴＷ及び１つのＭＷよりなり、データ“００１０”は、１つのＭＭの後に９つのＭＷ、１つのＭＭ、１つのＭＷ、２５個の−ＳＴＷ及び１個のＭＷよりなり、データ“００１１”は、１つのＭＭの後に９つのＭＷ、１つのＭＭ、１つのＭＷ、２５個の＋ＳＴＷ及び１つのＭＷよりなり、データ“０１００”は、１つのＭＭの後に５つのＭＷ、１つのＭＭ、５つのＭＷ、２５個の−ＳＴＷ及び１つのＭＷよりなり、データ“０１０１”は、１つのＭＭの後に５つのＭＷ、１つのＭＭ、５つのＭＷ、２５個の＋ＳＴＷ及び１つのＭＷよりなり、データ“０１１０”は、１つのＭＭの後に５つのＭＷ、１つのＭＭ、１つのＭＷ、１つのＭＭ、１つのＭＷ、２５個の−ＳＴＷ及び１つのＭＷよりなり、データ“０１１１”は、１つのＭＭの後に５つのＭＷ、１つのＭＭ、１つのＭＷ、１つのＭＭ、１つのＭＷ、２５個の＋ＳＴＷ及び１つのＭＷよりなり、データ“１０００”は、１つのＭＭの後に１つのＭＷ、１つのＭＭ、９つのＭＷ、２５個の−ＳＴＷ及び１つのＭＷよりなり、データ“１００１”は、１つのＭＭの後に１つのＭＷ、１つのＭＭ、９つのＭＷ、２５個の＋ＳＴＷ及び１つのＭＷよりなり、データ“１０１０”は、１つのＭＭの後に１つのＭＷ、１つのＭＭ、５つのＭＷ、１つのＭＭ、１つのＭＷ、２５個の−ＳＴＷ及び１つのＭＷよりなり、データ“１０１１”は、１つのＭＭの後に１つのＭＷ、１つのＭＭ、５つのＭＷ、１つのＭＭ、１つのＭＷ、２５個の＋ＳＴＷ及び１つのＭＷよりなり、データ“１１００”は、１つのＭＭの後に１つのＭＷ、１つのＭＭ、１つのＭＷ、１つのＭＭ、５つのＭＷ、２５個の−ＳＴＷ及び１つのＭＷよりなり、データ“１１０１”は、１つのＭＭの後に１つのＭＷ、１つのＭＭ、１つのＭＷ、１つのＭＭ、５個のＭＷ、２５個の＋ＳＴＷ及び１つのＭＷよりなり、データ“１１１０”は、１つのＭＭの後に１つのＭＷ、１つのＭＭ、１つのＭＷ、１つのＭＭ、１つのＭＷ、１つのＭＭ、１つのＭＷ、２５個の−ＳＴＷ及び１つのＭＷよりなり、データ“１１１１”は、１つのＭＭの後に１つのＭＷ、１つのＭＭ、１つのＭＷ、１つのＭＭ、１つのＭＷ、１つのＭＭ、１つのＭＷ、２５個の＋ＳＴＷ及び１つのＭＷよりなる。
【００２５】
本発明はアドレス情報だけでなく、付加データ情報量を増やそうとする目的として広く適用可能である。
【産業上の利用可能性】
【００２６】
本発明は所定数のウォッブルで表現できるアドレス情報の量を増やせるために、小さな規模の物理的な長さでディスクアクセスに必要な情報を表現可能で、したがって短い物理的な長さのアクセスが可能なので、特に、青色レーザーを用いた小型ディスクに対するアドレス規格に対応可能であり、かつ小型ディスクで欠陥が発生しても損失を最小化しうる。
【図面の簡単な説明】
【００２７】
【図１】アドレス及び付加情報をディスクトラック上に成形するプロセスを示す図である。
【図２】本発明の望ましい一実施例によるアドレス情報の変調方法を説明するための図である。
【図３】本発明の望ましい他の実施例によるアドレス情報の変調方法を説明するための図である。
【図１】
2005526344.tif 000003
【図２】
2005526344.tif 000004
【図３】
2005526344.tif 000005
【国際調査報告】
2005526344.tif 000006